(57)【要約】【課題】本発明は靴下保存戸棚を開示した。【解決手段】本発明は靴下保存戸棚を開示し、保存戸棚を含み、前記保存戸棚の中には伝動チャンバが設置されており、前記伝動チャンバの後側にはモーターチャンバが設置され、前記モーターチャンバの後側の内壁の中には伝動モーターが固定的に取り付けられ、前記伝動モーターの前向きの出力軸の前側端面には主ネジ山ボルトが固定的に取り付けられ、伝動機構が動力を各機構に伝達し、開閉機構の中の開閉棒が回転して、扉を開け、設備の後側から靴下を入れるのが便利になり、一時格納機構と陳列機構とが協働し、一時格納スライダが一時格納チャンバを封じる時、副ラックが左へ移動し、靴下が靴下チャンバの中に落ち、一時格納スライダが開き、副ラックが右に移動して一時格納チャンバを封じ、靴下が一時格納チャンバの中に一時的に格納される。【選択図】図１
2020179088.tif 000002
【特許請求の範囲】
【請求項１】
靴下保存戸棚であって、保存戸棚を含み、前記保存戸棚の中には伝動チャンバが設置されており、前記伝動チャンバの中には伝動機構が設置されており、前記伝動機構はカム梃子を含み、前記カム梃子にはカムが固定的に取り付けられ、前記カムには回転棒が固定的に取り付けられ、前記回転棒にはラックが回転できるように取り付けて連結され、前記伝動機構は補助棒を含み、補助棒の中には補助槽が設置されており、前記伝動機構の下方には開閉機構が設置されており、前記開閉機構は扉を含み、前記扉の中には開閉棒が固定的に取り付けられ、開閉棒には第一傘歯車が固定的に取り付けられ、前記第一傘歯車には第二傘歯車が噛合され、前記開閉機構の前側には一時格納機構が設置されており、前記一時格納機構は一時格納主チャンバを含み、一時格納主チャンバの中には一時格納主棒が回転できるように取り付けられ、前記一時格納主棒には主歯車が固定的に取り付けられ、前記一時格納主チャンバの下方には一時格納副チャンバが設置されており、前記一時格納副チャンバの中には一時格納副棒が回転できるように取り付けられ、前記一時格納副棒には第三傘歯車が固定的に取り付けられ、前記一時格納機構の左側には陳列機構が設置されており、前記陳列機構は陳列伝動チャンバを含み、陳列伝動チャンバの中には陳列スライダがスライドできるように取り付けられ、前記陳列スライダには主ラックが固定的に取り付けられ、陳列伝動チャンバの下方には連結チャンバが設置されており、連結チャンバの中には連結棒が回転できるように取り付けられ、前記一時格納機構の下方には保存機構が設置されており、前記保存機構は主ネジ山チャンバを含み、前記主ネジ山チャンバの中には主ネジ山ブロックがスライドできるように取り付けられ、主ネジ山チャンバの前側には推しチャンバが連通して設置されており、推しチャンバの中には靴下箱がスライドできるように取り付けられ、靴下箱の中には靴下チャンバが設置されていることを特徴とする靴下保存戸棚。
【請求項２】
前記伝動機構は前記伝動チャンバの後側に設置されるモーターチャンバを含み、前記モーターチャンバの後側の内壁の中には伝動モーターが固定的に取り付けられ、前記伝動モーターの前向きの出力軸の前側端面には主ネジ山ボルトが固定的に取り付けられ、前記主ネジ山ボルトには第一歯車が固定的に取り付けられ、前記カム梃子が前記伝動チャンバと前記モーターチャンバとの間に回転できるように取り付けられ、前記カム梃子の後側端面には第二歯車が固定的に取り付けられ、前記第二歯車と前記第一歯車との間には伝動チェーンが伝動できるように取り付けられ、前記カムが前記カム梃子の前側端面に固定的に取り付けられ、前記回転棒が前記カムの前側端面に固定的に取り付けられ、前記連結ラックが前記回転棒に回転できるように取り付けられ、前記伝動チャンバの前後側の内壁の間にはスイング制限棒が回転できるように取り付けられ、前記スイング制限棒には揺動棒が固定的に取り付けられ、前記揺動棒の前側端面には主スライダが回転できるように取り付けられ、前記主スライダの底部端面には副スライダが固定的に取り付けられ、前記連結ラックの中には副スライド槽が設置されており、前記副スライド槽の上方には上に開口した主スライド槽が連通して設置されており、前記主スライダが前記主スライド槽の中にスライドできるように取付けられ、前記副スライダが前記副スライド槽の中にスライドできるように取付けられ、前記補助棒が前記揺動棒の後側端面に回転できるように取り付けられ、前記補助棒の底部端面には移動ブロックが固定的に取り付けられ、前記伝動チャンバの底壁には移動槽が連通して設置されており、前記移動ブロックが前記移動槽の中にスライドできるように取付けられ、前記伝動チャンバの前後側内壁の間において前記補助槽の中には歯車棒が回転できるように取り付けられ、前記歯車棒の前側端面には噛合歯車が固定的に取り付けられている；前記噛合歯車は前記連結ラックと噛み合え、それにより伝動モーターが始動し、主ネジ山ボルトを回転連動させ、主ネジ山ボルトが回転して第一歯車を回転連動させ、第一歯車が伝動チェーンの伝動によって第二歯車を回転連動させ、第二歯車が回転してカム梃子を回転連動させ、カム梃子が回転してカムを回転連動させ、カムが回転して揺動棒を回転連動させ、揺動棒の左側が上がり、右側が下へ移動し、連結ラックと噛合歯車とが噛み合い、カムが回転して回転棒に連結ラックを右へ移動連動させ、噛合歯車を回転連動させ、副スライダが副スライド槽でスライドし、補助棒が下へ移動して移動ブロックを下へ移動連動させることを特徴とする請求項１に記載の靴下保存戸棚。
【請求項３】
前記開閉機構は前記伝動チャンバの後側のうち前記モーターチャンバの右側に設置される開閉伝動チャンバを含み、前記歯車棒が後へ伸びて前記開閉伝動チャンバの前側内壁を貫通しており、前記歯車棒の後側端面には第四歯車が固定的に取り付けられ、前記開閉伝動チャンバの前側には開閉補助チャンバが設置されており、前記開閉補助チャンバと前記開閉伝動チャンバとの間には開閉補助棒が回転できるように取り付けられ、前記開閉補助棒の後側端面には第三歯車が固定的に取り付けられ、前記第三歯車と前記第四歯車との間には開閉チェーンが伝動できるように取り付けられ、前記第二傘歯車が前記開閉補助棒の前側端面に固定的に取り付けられ、前記伝動チャンバの下方には開閉チャンバが設置されており、前記開閉棒が前記開閉チャンバの左側の内壁の中に回転できるように取り付けられ、前記扉が前記開閉棒に固定的に取り付けられ、前記第一傘歯車が前記開閉棒の右側端面に固定的に取り付けられ、前記第一傘歯車と前記第二傘歯車とが噛み合っている；それにより噛合歯車が回転して歯車棒を回転連動させ、歯車棒が回転して第四歯車を回転連動させ、第四歯車が開閉チェーンによって伝動して第三歯車を回転連動させ、第三歯車が回転して開閉補助棒を回転連動させ、開閉補助棒が回転して第二傘歯車を回転連動させ、第二傘歯車が第一傘歯車との噛合によって開閉棒を回転連動させ、開閉棒が回転して扉を開けることを特徴とする請求項１に記載の靴下保存戸棚。
【請求項４】
前記一時格納機構は前記移動槽の左側に連通して設置される一時格納主チャンバを含み、前記一時格納主棒が前記一時格納主チャンバの前後内壁の間に回転できるように取り付けられ、前記一時格納主棒には回転歯車が固定的に取り付けられ、前記回転歯車が前記移動ブロックと噛み合い、前記主歯車が前記一時格納主棒のうち前記回転歯車の前側に固定的に取り付けられ、前記一時格納副棒が前記一時格納副チャンバの前後内壁の間に回転できるように取り付けられ、前記一時格納副棒には副歯車が固定的に取り付けられ、前記副歯車と前記歯車との間には一時格納チェーンが伝動できるように取り付けられ、前記第三傘歯車が前記一時格納副棒のうち前記副歯車の後側に固定的に取り付けられ、前記一時格納副チャンバの左側には副ネジ山チャンバが設置されており、前記副ネジ山チャンバと前記一時格納副チャンバとの間には副ネジ山ボルトが回転できるように取り付けられ、前記副ネジ山ボルトの右側端面には第四傘歯車が固定的に取り付けられ、前記第四傘歯車と前記第三傘歯車とが噛み合い、前記副ネジ山チャンバの中には副ネジ山ブロックがスライドできるように取り付けられ、前記副ネジ山ブロックの中には右に開口した副ネジ山穴が設置されており、前記副ネジ山穴と前記副ネジ山ボルトとがネジ山によって取り付けられ、前記開閉チャンバの下方には置きチャンバが連通して設置されており、前記副ネジ山チャンバの前側には一時格納スライド槽が連通して設置されており、前記一時格納スライド槽と前記置きチャンバとが連通され、前記一時格納スライド槽の中には一時格納スライダがスライドできるように取り付けられ、前記一時格納スライダの後側端面と前記副ネジ山ブロックの前側端面とが固定的に連結されている；移動ブロックが下へ移動して回転歯車を回転連動させ、歯車が回転して一時格納主棒を回転連動させ、一時格納主棒が回転して主歯車を回転連動させ、主歯車は一時格納チェーン伝動によって伝動して副歯車を回転連動させ、副歯車が回転して一時格納副棒を回転連動させ、一時格納副棒が回転して第三傘歯車を回転連動させ、第三傘歯車が第四傘歯車との噛み合いによって副ネジ山ボルトを回転連動させ、副ネジ山ボルトが回転して副ネジ山ブロックを左へ移動連動させ、副ネジ山ブロックが左へ移動して一時格納スライダを左へ移動連動させ、置きチャンバを封じることを特徴とする請求項１に記載の靴下保存戸棚。
【請求項５】
前記陳列機構は前記陳列伝動チャンバの下方に連通して設置される主歯車チャンバを含み、前記陳列スライダが前記陳列伝動チャンバの中にスライドできるように取り付けられ、前記主ラックが前記主歯車チャンバの中にスライドできるように取り付けられ、前記主ラックの頂部端面と前記陳列スライダの底部端面とが固定的に連結され、前記陳列スライダの底部端面と前記陳列伝動チャンバの底壁との間には陳列撥条が固定的に取り付けられ、前記連結棒が前記連結チャンバの前後側の内壁の間に回転できるように取り付けられ、前記連結棒には連結歯車が固定的に取り付けられ、前記連結歯車と前記主ラックとが噛み合い、前記連結チャンバの下方には副歯車チャンバが連通して設置されており、前記副歯車チャンバの中には前記置きチャンバの右側の内壁を貫通した副ラックがスライドできるように取り付けられ、前記副ラックと前記連結歯車と噛み合っており、
前記保存機構は前記主ネジ山ブロックの中に設置される主ネジ山穴を含み、前記主ネジ山ブロックは前記主ネジ山チャンバの中にスライドできるように取り付けられ、前記主ネジ山ボルトが前へ伸びて前記主ネジ山チャンバの後側の内壁を貫通しており、前記主ネジ山ボルトと前記主ネジ山穴とがネジ山により取り付けられ、前記靴下箱の後側端面と前記主ネジ山ブロックの前側端面とが固定的に連結され
カムが回転し、陳列スライダが上へ移動し、主ラックを上へ移動連動させ、主ラックが連結歯車と噛み合いによって連結歯車を回転連動させ、連結歯車が副ラックの噛合によって副ラックを左へ移動連動させ、主ネジ山ボルトが前に移動して靴下箱を前に移動連動させることを特徴とする請求項１に記載の靴下保存戸棚。
【発明の詳細な説明】
【技術分野】
【０００１】
本発明は保存技術分野を取り上げて、具体的には靴下保存戸棚である。
【背景技術】
【０００２】
保温や快適のため、人が靴下を履き、人が靴下を選んで買う時、常にたくさんの靴下を並んで選び、掛け式の靴下保存戸棚は一旦取り外したら元に戻すのは不便利であり、それに、客の流れが大きくて、靴下保存戸棚に靴下が少なくなり、それに伴い、お客様の選択肢が減らし、売れ高が下がり、そのため裏で便利に靴下を添え、売切れの状態に備え、且つお客様が靴下を便利に選べる靴下保存戸棚が必要である。
【先行技術文献】
【特許文献】
【０００３】
【特許文献１】中国特許出願公開第１０９００８２６７号明細書
【発明の概要】
【発明が解決しようとする課題】
【０００４】
本発明の目的は靴下保存戸棚を提供し、現有の技術の上記欠点を克服できる。
【課題を解決するための手段】
【０００５】
本発明の実施例における靴下保存戸棚は、保存戸棚を含み、前記保存戸棚の中には伝動チャンバが設置されており、前記伝動チャンバの中には伝動機構が設置されており、前記伝動機構はカム梃子を含み、前記カム梃子にはカムが固定的に取り付けられ、前記カムには回転棒が固定的に取り付けられ、前記回転棒にはラックが回転できるように取り付けて連結され、前記伝動機構は補助棒を含み、補助棒の中には補助槽が設置されており、前記伝動機構の下方には開閉機構が設置されており、前記開閉機構は扉を含み、前記扉の中には開閉棒が固定的に取り付けられ、開閉棒には第一傘歯車が固定的に取り付けられ、前記第一傘歯車には第二傘歯車が噛合され、前記開閉機構の前側には一時格納機構が設置されており、前記一時格納機構は一時格納主チャンバを含み、一時格納主チャンバの中には一時格納主棒が回転できるように取り付けられ、前記一時格納主棒には主歯車が固定的に取り付けられ、前記一時格納主チャンバの下方には一時格納副チャンバが設置されており、前記一時格納副チャンバの中には一時格納副棒が回転できるように取り付けられ、前記一時格納副棒には第三傘歯車が固定的に取り付けられ、前記一時格納機構の左側には陳列機構が設置されており、前記陳列機構は陳列伝動チャンバを含み、陳列伝動チャンバの中には陳列スライダがスライドできるように取り付けられ、前記陳列スライダには主ラックが固定的に取り付けられ、陳列伝動チャンバの下方には連結チャンバが設置されており、連結チャンバの中には連結棒が回転できるように取り付けられ、前記一時格納機構の下方には保存機構が設置されており、前記保存機構は主ネジ山チャンバを含み、前記主ネジ山チャンバの中には主ネジ山ブロックがスライドできるように取り付けられ、主ネジ山チャンバの前側には推しチャンバが連通して設置されており、推しチャンバの中には靴下箱がスライドできるように取り付けられ、靴下箱の中には靴下チャンバが設置されている。
【０００６】
更なる技術方案、前記伝動機構は前記伝動チャンバの後側に設置されるモーターチャンバを含み、前記モーターチャンバの後側の内壁の中には伝動モーターが固定的に取り付けられ、前記伝動モーターの前向きの出力軸の前側端面には主ネジ山ボルトが固定的に取り付けられ、前記主ネジ山ボルトには第一歯車が固定的に取り付けられ、前記カム梃子が前記伝動チャンバと前記モーターチャンバとの間に回転できるように取り付けられ、前記カム梃子の後側端面には第二歯車が固定的に取り付けられ、前記第二歯車と前記第一歯車との間には伝動チェーンが伝動できるように取り付けられ、前記カムが前記カム梃子の前側端面に固定的に取り付けられ、前記回転棒が前記カムの前側端面に固定的に取り付けられ、前記連結ラックが前記回転棒に回転できるように取り付けられ、前記伝動チャンバの前後側の内壁の間にはスイング制限棒が回転できるように取り付けられ、前記スイング制限棒には揺動棒が固定的に取り付けられ、前記揺動棒の前側端面には主スライダが回転できるように取り付けられ、前記主スライダの底部端面には副スライダが固定的に取り付けられ、前記連結ラックの中には副スライド槽が設置されており、前記副スライド槽の上方には上に開口した主スライド槽が連通して設置されており、前記主スライダが前記主スライド槽の中にスライドできるように取付けられ、前記副スライダが前記副スライド槽の中にスライドできるように取付けられ、前記補助棒が前記揺動棒の後側端面に回転できるように取り付けられ、前記補助棒の底部端面には移動ブロックが固定的に取り付けられ、前記伝動チャンバの底壁には移動槽が連通して設置されており、前記移動ブロックが前記移動槽の中にスライドできるように取付けられ、前記伝動チャンバの前後側内壁の間において前記補助槽の中には歯車棒が回転できるように取り付けられ、前記歯車棒の前側端面には噛合歯車が固定的に取り付けられ、
前記噛合歯車は前記連結ラックと噛み合える。
【０００７】
更なる技術方案、前記開閉機構は前記伝動チャンバの後側のうち前記モーターチャンバの右側に設置される開閉伝動チャンバを含み、前記歯車棒が後へ伸びて前記開閉伝動チャンバの前側内壁を貫通しており、前記歯車棒の後側端面には第四歯車が固定的に取り付けられ、前記開閉伝動チャンバの前側には開閉補助チャンバが設置されており、前記開閉補助チャンバと前記開閉伝動チャンバとの間には開閉補助棒が回転できるように取り付けられ、前記開閉補助棒の後側端面には第三歯車が固定的に取り付けられ、前記第三歯車と前記第四歯車との間には開閉チェーンが伝動できるように取り付けられ、前記第二傘歯車が前記開閉補助棒の前側端面に固定的に取り付けられ、前記伝動チャンバの下方には開閉チャンバが設置されており、前記開閉棒が前記開閉チャンバの左側の内壁の中に回転できるように取り付けられ、前記扉が前記開閉棒に固定的に取り付けられ、前記第一傘歯車が前記開閉棒の右側端面に固定的に取り付けられ、前記第一傘歯車と前記第二傘歯車とが噛み合っている。
【０００８】
更なる技術方案、前記一時格納機構は前記移動槽の左側に連通して設置される一時格納主チャンバを含み、前記一時格納主棒が前記一時格納主チャンバの前後内壁の間に回転できるように取り付けられ、前記一時格納主棒には回転歯車が固定的に取り付けられ、前記回転歯車が前記移動ブロックと噛み合い、前記主歯車が前記一時格納主棒のうち前記回転歯車の前側に固定的に取り付けられ、前記一時格納副棒が前記一時格納副チャンバの前後内壁の間に回転できるように取り付けられ、前記一時格納副棒には副歯車が固定的に取り付けられ、前記副歯車と前記歯車との間には一時格納チェーンが伝動できるように取り付けられ、前記第三傘歯車が前記一時格納副棒のうち前記副歯車の後側に固定的に取り付けられ、前記一時格納副チャンバの左側には副ネジ山チャンバが設置されており、前記副ネジ山チャンバと前記一時格納副チャンバとの間には副ネジ山ボルトが回転できるように取り付けられ、前記副ネジ山ボルトの右側端面には第四傘歯車が固定的に取り付けられ、前記第四傘歯車と前記第三傘歯車とが噛み合い、前記副ネジ山チャンバの中には副ネジ山ブロックがスライドできるように取り付けられ、前記副ネジ山ブロックの中には右に開口した副ネジ山穴が設置されており、前記副ネジ山穴と前記副ネジ山ボルトとがネジ山によって取り付けられ、前記開閉チャンバの下方には置きチャンバが連通して設置されており、前記副ネジ山チャンバの前側には一時格納スライド槽が連通して設置されており、前記一時格納スライド槽と前記置きチャンバとが連通され、前記一時格納スライド槽の中には一時格納スライダがスライドできるように取り付けられ、前記一時格納スライダの後側端面と前記副ネジ山ブロックの前側端面とが固定的に連結されている。
【０００９】
前記陳列機構は前記陳列伝動チャンバの下方に連通して設置される主歯車チャンバを含み、前記陳列スライダが前記陳列伝動チャンバの中にスライドできるように取り付けられ、前記主ラックが前記主歯車チャンバの中にスライドできるように取り付けられ、前記主ラックの頂部端面と前記陳列スライダの底部端面とが固定的に連結され、前記陳列スライダの底部端面と前記陳列伝動チャンバの底壁との間には陳列撥条が固定的に取り付けられ、前記連結棒が前記連結チャンバの前後側の内壁の間に回転できるように取り付けられ、前記連結棒には連結歯車が固定的に取り付けられ、前記連結歯車と前記主ラックとが噛み合い、前記連結チャンバの下方には副歯車チャンバが連通して設置されており、前記副歯車チャンバの中には前記置きチャンバの右側の内壁を貫通した副ラックがスライドできるように取り付けられ、前記副ラックと前記連結歯車と噛み合っており、
前記保存機構は前記主ネジ山ブロックの中に設置される主ネジ山穴を含み、前記主ネジ山ブロックは前記主ネジ山チャンバの中にスライドできるように取り付けられ、前記主ネジ山ボルトが前へ伸びて前記主ネジ山チャンバの後側の内壁を貫通しており、前記主ネジ山ボルトと前記主ネジ山穴とがネジ山により取り付けられ、前記靴下箱の後側端面と前記主ネジ山ブロックの前側端面とが固定的に連結され
カムが回転し、陳列スライダが上へ移動し、主ラックを上へ移動連動させ、主ラックが連結歯車と噛み合いによって連結歯車を回転連動させ、連結歯車が副ラックの噛合によって副ラックを左へ移動連動させ、主ネジ山ボルトが回転して靴下箱を前に移動連動させる。
【発明の効果】
【００１０】
本発明の有益な効果は：本発明は結構が簡単で、操作が便利で、伝動機構が動力を各機構に伝達し、開閉機構の中の開閉棒が回転して、扉を開け、設備の後側から靴下を入れるのが便利になり、一時格納機構と陳列機構とが協働し、一時格納スライダが一時格納チャンバを封じる時、副ラックが左へ移動し、靴下が靴下チャンバの中に落ち、一時格納スライダが開き、副ラックが右に移動して一時格納チャンバを封じ、靴下が一時格納チャンバの中に一時的に格納され、靴下が売切れる状況を避け、靴下チャンバの中の靴下が平らに置かれており、靴下を取り外す又は戻すことに便利を与え、普及する価値がある。
【図面の簡単な説明】
【００１１】
【図１】図１は本発明の構成模式図
【図２】図２は図１のＡ−Ａの方向の断面構成模式図
【図３】図３は図１のＢ−Ｂの方向の断面構成模式図
【図４】図４は図１のＣ−Ｃの方向の断面構成模式図
【発明を実施するための形態】
【００１２】
以下は図１〜４について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１〜４を参考して、本発明の実施例における靴下保存戸棚は、保存戸棚４６を含み、前記保存戸棚４６の中には伝動チャンバ４８が設置されており、前記伝動チャンバ４８の中には伝動機構９０が設置されており、前記伝動機構９０はカム梃子１４を含み、前記カム梃子１４にはカム１３が固定的に取り付けられ、前記カム１３には回転棒１２が固定的に取り付けられ、前記回転棒１２にはラック１１が回転できるように取り付けて連結され、前記伝動機構は補助棒４０を含み、補助棒４０の中には補助槽３９が設置されており、前記伝動機構の下方には開閉機構９５が設置されており、前記開閉機構９５は扉２６を含み、前記扉２６の中には開閉棒２５が固定的に取り付けられ、開閉棒２５には第一傘歯車３１が固定的に取り付けられ、前記第一傘歯車３１には第二傘歯車３３が噛合され、前記開閉機構９５の前側には一時格納機構１００が設置されており、前記一時格納機構１００は一時格納主チャンバ４９を含み、一時格納主チャンバ４９の中には一時格納主棒５２が回転できるように取り付けられ、前記一時格納主棒５２には主歯車５１が固定的に取り付けられ、前記一時格納主チャンバ４９の下方には一時格納副チャンバ７４が設置されており、前記一時格納副チャンバ７４の中には一時格納副棒７２が回転できるように取り付けられ、前記一時格納副棒７２には第三傘歯車７５が固定的に取り付けられ、前記一時格納機構１００の左側には陳列機構１０５が設置されており、前記陳列機構１０５は陳列伝動チャンバ１６を含み、陳列伝動チャンバ１６の中には陳列スライダ１５がスライドできるように取り付けられ、前記陳列スライダ１５１５には主ラック１８が固定的に取り付けられ、陳列伝動チャンバ１６の下方には連結チャンバ１９が設置されており、連結チャンバ１９の中には連結棒２１が回転できるように取り付けられ、前記一時格納機構１００の下方には保存機構２００が設置されており、前記保存機構２００は主ネジ山チャンバ６１を含み、前記主ネジ山チャンバ６１の中には主ネジ山ブロック５９がスライドできるように取り付けられ、主ネジ山チャンバ６１の前側には推しチャンバ６０が連通して設置されており、推しチャンバ６０の中には靴下箱２７がスライドできるように取り付けられ、靴下箱２７の中には靴下チャンバ２８が設置されている。
【００１４】
有益又は例示的に、前記伝動機構９０は前記伝動チャンバ４８の後側に設置されるモーターチャンバ５６を含み、前記モーターチャンバ５６の後側の内壁の中には伝動モーター５４が固定的に取り付けられ、前記伝動モーター５４の前向きの出力軸の前側端面には主ネジ山ボルト５７が固定的に取り付けられ、前記主ネジ山ボルト５７には第一歯車５５が固定的に取り付けられ、前記カム梃子１４が前記伝動チャンバ４８と前記モーターチャンバ５６との間に回転できるように取り付けられ、前記カム梃子１４の後側端面には第二歯車６２が固定的に取り付けられ、前記第二歯車６２と前記第一歯車５５との間には伝動チェーン６３が伝動できるように取り付けられ、前記カム１３が前記カム梃子１４の前側端面に固定的に取り付けられ、前記回転棒１２が前記カム１３の前側端面に固定的に取り付けられ、前記連結ラック１１が前記回転棒１２に回転できるように取り付けられ、前記伝動チャンバ４８の前後側の内壁の間にはスイング制限棒４５が回転できるように取り付けられ、前記スイング制限棒４５には揺動棒４７が固定的に取り付けられ、前記揺動棒４７の前側端面には主スライダ４１が回転できるように取り付けられ、前記主スライダ４１の底部端面には副スライダ４３が固定的に取り付けられ、前記連結ラック１１の中には副スライド槽４４が設置されており、前記副スライド槽４４の上方には上に開口した主スライド槽４２が連通して設置されており、前記主スライダ４１が前記主スライド槽４２の中にスライドできるように取付けられ、前記副スライダ４３が前記副スライド槽４４の中にスライドできるように取付けられ、前記補助棒４０が前記揺動棒４７の後側端面に回転できるように取り付けられ、前記補助棒４０の底部端面には移動ブロック３６が固定的に取り付けられ、前記伝動チャンバ４８の底壁には移動槽３５が連通して設置されており、前記移動ブロック３６が前記移動槽３５の中にスライドできるように取付けられ、前記伝動チャンバ４８の前後側内壁の間において前記補助槽３９の中には歯車棒３８が回転できるように取り付けられ、前記歯車棒３８の前側端面には噛合歯車３７が固定的に取り付けられている；前記噛合歯車３７は前記連結ラック１１と噛み合え、それにより伝動モーター５４が始動し、主ネジ山ボルト５７を回転連動させ、主ネジ山ボルト５７が回転して第一歯車５５を回転連動させ、第一歯車５５が伝動チェーン６３の伝動によって第二歯車６２を回転連動させ、第二歯車６２が回転してカム梃子１４を回転連動させ、カム梃子１４が回転してカム１３を回転連動させ、カム１３が回転して揺動棒４７を回転連動させ、揺動棒４７の左側が上がり、右側が下へ移動し、連結ラック１１と噛合歯車３７とが噛み合い、カム１３が回転して回転棒１２に連結ラック１１を右へ移動連動させ、噛合歯車３７を回転連動させ、副スライダ４３が副スライド槽４４でスライドし、補助棒４０が下へ移動して移動ブロック３６を下へ移動連動させる。
【００１５】
有益又は例示的に、前記開閉機構９５は前記伝動チャンバ４８の後側のうち前記モーターチャンバ５６の右側に設置される開閉伝動チャンバ６７を含み、前記歯車棒３８が後へ伸びて前記開閉伝動チャンバ６７の前側内壁を貫通しており、前記歯車棒３８の後側端面には第四歯車６４が固定的に取り付けられ、前記開閉伝動チャンバ６７の前側には開閉補助チャンバ３４が設置されており、前記開閉補助チャンバ３４と前記開閉伝動チャンバ６７との間には開閉補助棒３２が回転できるように取り付けられ、前記開閉補助棒３２の後側端面には第三歯車６６が固定的に取り付けられ、前記第三歯車６６と前記第四歯車６４との間には開閉チェーン６５が伝動できるように取り付けられ、前記第二傘歯車３３が前記開閉補助棒３２の前側端面に固定的に取り付けられ、前記伝動チャンバ４８の下方には開閉チャンバ７８が設置されており、前記開閉棒２５が前記開閉チャンバ７８の左側の内壁の中に回転できるように取り付けられ、前記扉２６が前記開閉棒２５に固定的に取り付けられ、前記第一傘歯車３１が前記開閉棒２５の右側端面に固定的に取り付けられ、前記第一傘歯車３１と前記第二傘歯車３３とが噛み合っている；それにより噛合歯車３７が回転して歯車棒３８を回転連動させ、歯車棒３８が回転して第四歯車６４を回転連動させ、第四歯車６４が開閉チェーン６５によって伝動して第三歯車６６を回転連動させ、第三歯車６６が回転して開閉補助棒３２を回転連動させ、開閉補助棒３２が回転して第二傘歯車３３を回転連動させ、第二傘歯車３３が第一傘歯車３１との噛合によって開閉棒２５を回転連動させ、開閉棒２５が回転して扉２６を開ける。
【００１６】
有益又は例示的に、前記一時格納機構１００は前記移動槽３５の左側に連通して設置される一時格納主チャンバ４９を含み、前記一時格納主棒５２が前記一時格納主チャンバ４９の前後内壁の間に回転できるように取り付けられ、前記一時格納主棒５２には回転歯車５０が固定的に取り付けられ、前記回転歯車５０が前記移動ブロック３６と噛み合い、前記主歯車５１が前記一時格納主棒５２のうち前記回転歯車５０の前側に固定的に取り付けられ、前記一時格納副棒７２が前記一時格納副チャンバ７４の前後内壁の間に回転できるように取り付けられ、前記一時格納副棒７２には副歯車７３が固定的に取り付けられ、前記副歯車７３と前記歯車５１との間には一時格納チェーン５３が伝動できるように取り付けられ、前記第三傘歯車７５が前記一時格納副棒７２のうち前記副歯車７３の後側に固定的に取り付けられ、前記一時格納副チャンバ７４の左側には副ネジ山チャンバ６８が設置されており、前記副ネジ山チャンバ６８と前記一時格納副チャンバ７４との間には副ネジ山ボルト７０が回転できるように取り付けられ、前記副ネジ山ボルト７０の右側端面には第四傘歯車７１が固定的に取り付けられ、前記第四傘歯車７１と前記第三傘歯車７５とが噛み合い、前記副ネジ山チャンバ６８の中には副ネジ山ブロック６９がスライドできるように取り付けられ、前記副ネジ山ブロック６９の中には右に開口した副ネジ山穴７７が設置されており、前記副ネジ山穴７７と前記副ネジ山ボルト７０とがネジ山によって取り付けられ、前記開閉チャンバ７８の下方には置きチャンバ２９が連通して設置されており、前記副ネジ山チャンバ６８の前側には一時格納スライド槽７６が連通して設置されており、前記一時格納スライド槽７６と前記置きチャンバ２９とが連通され、前記一時格納スライド槽７６の中には一時格納スライダ３０がスライドできるように取り付けられ、前記一時格納スライダ３０の後側端面と前記副ネジ山ブロック６９の前側端面とが固定的に連結されている；移動ブロック３６が下へ移動して回転歯車５０を回転連動させ、歯車５０が回転して一時格納主棒５２を回転連動させ、一時格納主棒５２が回転して主歯車５１を回転連動させ、主歯車５１は一時格納チェーン５３伝動によって伝動して副歯車７３を回転連動させ、副歯車７３が回転して一時格納副棒７２を回転連動させ、一時格納副棒７２が回転して第三傘歯車７５を回転連動させ、第三傘歯車７５が第四傘歯車７５との噛み合いによって副ネジ山ボルト７０を回転連動させ、副ネジ山ボルト７０が回転して副ネジ山ブロック６９を左へ移動連動させ、副ネジ山ブロック６９が左へ移動して一時格納スライダ３０を左へ移動連動させ、置きチャンバ２９を封じる。
【００１７】
有益又は例示的に、前記陳列機構１０５は前記陳列伝動チャンバ１６の下方に連通して設置される主歯車チャンバ２２を含み、前記陳列スライダ１５が前記陳列伝動チャンバ１６の中にスライドできるように取り付けられ、前記主ラック１８が前記主歯車チャンバ２２の中にスライドできるように取り付けられ、前記主ラック１８の頂部端面と前記陳列スライダ１５の底部端面とが固定的に連結され、前記陳列スライダ１５の底部端面と前記陳列伝動チャンバ１６の底壁との間には陳列撥条１７が固定的に取り付けられ、前記連結棒２１が前記連結チャンバ１９の前後側の内壁の間に回転できるように取り付けられ、前記連結棒２１には連結歯車２０が固定的に取り付けられ、前記連結歯車２０と前記主ラック１８とが噛み合い、前記連結チャンバ１９の下方には副歯車チャンバ２３が連通して設置されており、前記副歯車チャンバ２３の中には前記置きチャンバ２９の右側の内壁を貫通した副ラック２４がスライドできるように取り付けられ、前記副ラック２４と前記連結歯車２０と噛み合っており、前記保存機構２００は前記主ネジ山ブロック５９の中に設置される主ネジ山穴５８を含み、前記主ネジ山ブロック５９は前記主ネジ山チャンバ６１の中にスライドできるように取り付けられ、前記主ネジ山ボルト５７が前へ伸びて前記主ネジ山チャンバ６１の後側の内壁を貫通しており、前記主ネジ山ボルト５７と前記主ネジ山穴５８とがネジ山により取り付けられ、前記靴下箱２７の後側端面と前記主ネジ山ブロック５９の前側端面とが固定的に連結され、
カム１３が回転し、陳列スライダ１５が上へ移動し、主ラック１８を上へ移動連動させ、主ラック１８が連結歯車２０と噛み合いによって連結歯車２０を回転連動させ、連結歯車２０が副ラック２４の噛合によって副ラック２４を左へ移動連動させ、置きチャンバ２９の中の靴下を靴下チャンバ２８の中に入らせ、主ネジ山ボルト５７が回転して靴下箱２７を前に移動連動させる。
【００１８】
使用する時、伝動モーター５４が始動し、主ネジ山ボルト５７を回転連動させ、主ネジ山ボルト５７が回転して第一歯車５５を回転連動させ、第一歯車５５が伝動チェーン６３によって第二歯車６２を回転連動させ、第二歯車６２が回転してカム梃子１４を回転連動させ、カム梃子１４が回転してカム１３を回転連動させ、カム１３が回転して揺動棒４７を回転連動させ、揺動棒４７の左側が上がり、右側が下へ移動し、連結歯車１１と噛合歯車３７とが噛み合い、カム１３が回転して回転棒１２に連結ラック１１を右へ移動連動させ、噛み合い歯車３７を回転連動させ、副スライダ４３が副スライド槽でスライドし、補助棒４０が下へ移動して移動ブロック３６を下へ移動連動させ、噛合歯車３７が回転して歯車棒３８を回転連動させ、歯車棒３８が回転して第四歯車６４を回転連動させ、第四歯車６４が開閉チェーン６５によって伝動して第三歯車６６を回転連動させ、第三歯車６６が回転して開閉補助棒３２を回転連動させ、開閉補助棒３２が回転して第二傘歯車３３を回転連動させ、第二傘歯車３３が第一傘歯車３１との噛合によって開閉棒２５を回転連動させ、開閉棒２５が回転して扉２６を開け、設備の後側から設備に靴下７９を入れ、移動ブロック３６が下へ移動して回転歯車５０を回転連動させ、回転歯車５０が回転して一時格納主棒５２を回転連動させ、一時格納主棒５２が回転して主歯車５１を回転連動させ、主歯車５１は一時格納チェーン５３によって伝動して副歯車７３を回転連動させ、副歯車７３が回転して一時格納副棒７２を回転連動させ、一時格納副棒７２が回転して第三傘歯車７５を回転連動させ、第三傘歯車７５が第四傘歯車７１との噛合によって副ネジ山ボルト７０を回転連動させ、副ネジ山ボルト７０が回転して副ネジ山ブロック６９を左へ移動連動させ、副ネジ山ブロック６９が左へ移動して一時格納スライダ３０を左へ移動連動させ、置きチャンバ２９を封じ、靴下７９が開閉チャンバ７８の中に置かれ、カム１３が回転し、陳列スライダ１５が上へ移動し、主ラック１８を上へ移動連動させ、主ラック１８が連結歯車２０との噛合によって連結歯車２０を回転連動させ、連結歯車２０が副ラック２４の噛み合いによって副ラック２４を左へ移動連動させ、置きチャンバ２９に一時的に格納された靴下７９が靴下チャンバ２８の中に入り、主ネジ山ボルト５７が回転して主ネジ山ブロック５９を前へ移動連動させ、主ネジ山ブロック５９が前へ移動して靴下箱２７を前へ移動連動させ、靴下チャンバ２８の中の靴下７９を送出し、伝動モーター５４が逆転し、開閉チャンバ７８の中に置かれた靴下７９が置きチャンバ２９に入って一時的に格納される。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179088.tif 000003
【図２】
2020179088.tif 000004
【図３】
2020179088.tif 000005
【図４】
2020179088.tif 000006